(57)【要約】【課題】携帯端末単独の構成のみで実際のフィールド状況に応じて携帯端末の利用者がいつ圏外となるかを認知することができ、利用者の利便性向上を図る。【解決手段】携帯端末は、制御部と、この制御部に接続されるメモリ部、無線通信機能部、ＧＰＳ受信機能部、及び表示部とを有する。制御部は、無線通信機能部の受信情報から携帯端末が圏外の地点に位置すると判断される場合、ＧＰＳ受信機能部の受信情報から検出される携帯端末の現在の位置を圏外位置情報としてメモリ部に記録させると共に、無線通信機能部の受信情報から携帯端末が圏内の地点に位置すると判断される場合、ＧＰＳ受信機能部の受信情報から検出される携帯端末の現在の位置が、メモリ部に記録されている圏外位置情報の近傍に位置するか否かを判断し、近傍に位置する場合には、その旨を圏外履歴アラームとして報知する。【選択図】図２
2011077624.tif 000002
【特許請求の範囲】
【請求項１】
制御部と、当該制御部に接続されるメモリ部、無線通信機能部、ＧＰＳ受信機能部、及び表示部とを有する携帯端末であって、
前記制御部は、前記無線通信機能部の受信情報から前記携帯端末が圏外の地点に位置すると判断される場合、前記ＧＰＳ受信機能部の受信情報から検出される前記携帯端末の現在の位置を圏外位置情報として前記メモリ部に記録させると共に、前記無線通信機能部の受信情報から前記携帯端末が圏内の地点に位置すると判断される場合、前記ＧＰＳ受信機能部の受信情報から検出される前記携帯端末の現在の位置が、前記メモリ部に記録されている圏外位置情報の近傍に位置するか否かを判断し、近傍に位置する場合には、その旨を圏外履歴アラームとして報知することを特徴とする携帯端末。
【請求項２】
前記制御部は、
前記無線通信機能部の受信情報に基づき前記携帯端末の圏内、圏外を検出する圏外・圏内検出機能手段と、
前記圏内、圏外の検出結果に基づき、その旨を報知する圏外・圏内報知機能手段と、
前記ＧＰＳ受信機能部の受信情報から前記携帯端末の現在の位置を検出する位置情報検出機能手段と、
前記圏外のときに検出された現在の位置を圏外位置情報として前記メモリ部に記録させる位置情報記録機能手段と、
前記圏内のときに検出された現在の位置が、前記メモリ部に記録されている圏外位置情報の近傍に位置するか否かを判断し、近傍に位置する場合には、その旨を圏外履歴アラームとして報知する圏外履歴アラーム機能手段とを有することを特徴とする請求項１に記載の携帯端末。
【請求項３】
前記圏外履歴アラーム機能手段は、検出された現在の位置と前記メモリ部に記録されている圏外位置情報との距離を前記表示部に表示させることを特徴とする請求項２記載の携帯端末。
【請求項４】
前記圏外履歴アラームの状態を予め設定するための圏外履歴アラーム設定機能手段を更に有することを特徴とする請求項２又は３に記載の携帯端末。
【請求項５】
前記圏外履歴アラーム設定機能手段は、前記圏外履歴アラームの状態として、前記メモリ部に記録されている圏外位置情報に対して、どの程度接近すると報知するかの距離を設定することを特徴とする請求項３又は４に記載の携帯端末。
【請求項６】
前記圏外履歴アラーム設定機能手段は、前記携帯端末の利用者により前記圏外履歴アラームの状態を任意に設定可能とすることを特徴とする請求項３から５のいずれか１項に記載の携帯端末。
【請求項７】
前記圏外履歴アラーム設定機能手段は、前記圏外履歴アラームの状態の設定時に、当該設定が行なわれていることを前記表示部に表示させることを特徴とする請求項３から６のいずれか１項記載の携帯端末。
【請求項８】
前記圏外履歴アラーム設定機能手段は、前記圏外履歴アラームの状態の設定時に、当該設定内容を前記表示部に表示させることを特徴とする請求項３から７のいずれか１項記載の携帯端末。
【請求項９】
制御部と、当該制御部に接続されるメモリ部、無線通信機能部、ＧＰＳ受信機能部、及び表示部とを有する携帯端末の圏外報知方法であって、
前記制御部が、
前記無線通信機能部の受信情報に基づき前記携帯端末の圏内、圏外を検出し、
前記圏内、圏外の検出結果に基づき、その旨を報知し、
前記ＧＰＳ受信機能部の受信情報から前記携帯端末の現在位置を検出し、
前記圏外のときに検出された現在の位置を圏外位置情報として前記メモリ部に記録させ、
前記圏内のときに検出された現在の位置が、前記メモリ部に記録されている圏外位置情報の近傍に位置するか否かを判断し、近傍に位置する場合には、その旨を報知することを特徴とする携帯端末の圏外報知方法。
【請求項１０】
前記制御部が、検出された現在の位置と前記メモリ部に記録されている圏外位置情報との距離を前記表示部に表示させることを特徴とする請求項９記載の携帯端末の圏外報知方法。
【請求項１１】
前記制御部が、前記圏外履歴アラームの状態を予め設定することを特徴とする請求項９又は１０に記載の携帯端末の圏外報知方法。
【請求項１２】
前記制御部が、前記圏外履歴アラームの状態として、前記メモリ部に記録されている圏外位置情報に対して、どの程度接近すると報知するかの距離を設定することを特徴とする請求項１１に記載の携帯端末の圏外報知方法。
【請求項１３】
前記制御部が、前記携帯端末の利用者により前記圏外履歴アラームの状態を任意に設定可能とすることを特徴とする請求項１１又は１２に記載の携帯端末の圏外報知方法。
【請求項１４】
前記制御部が、前記圏外履歴アラームの状態の設定時に、当該設定が行なわれていることを前記表示部に表示させることを特徴とする請求項１１から１３のいずれか１項記載の携帯端末の圏外報知方法。
【請求項１５】
前記制御部が、前記圏外履歴アラームの状態の設定時に、当該設定内容を前記表示部に表示させることを特徴とする請求項１１から１４のいずれか１項記載の携帯端末の圏外報知方法。
【発明の詳細な説明】
【技術分野】
【０００１】
本発明は、携帯端末及びその圏外報知方法に係り、特にＧＰＳ（Global Positioning System）機能を有する携帯電話端末及びその圏外報知方法に関する。
【背景技術】
【０００２】
携帯電話端末では、通話やデータ通信のサービスエリアの圏内、圏外の判定機能を有し、携帯者にその状況を報知している。この場合、圏外エリアは基地局配置や電波伝搬状況等の網側の状況により、携帯端末側ではその状況を把握できないため、いつ圏外となるかが分からず、特に通信中に圏外となった場合は著しく利便性が低下するといった問題がある。
【０００３】
これに関して、特許文献１には、携帯端末の利用者に対して、もうすぐ通信不可能な領域に到達することを予告する移動通信システムが記載されている。この移動通信システムは、携帯端末の移動先が通信圏内であると予測される場合に、携帯端末が通信圏外に移動する旨の圏外予告通知を携帯端末に送信する通信圏外予告サーバを備える。
【０００４】
上記の通信圏外予告サーバは、通信ネットワークを介して携帯端末から位置情報を受信し、携帯端末毎に受信順に位置情報を記憶し、通信圏外となる範囲および通信圏内となる範囲を示す情報を含む地図情報を記憶する。そして、このサーバは、記憶した位置情報と地図情報とに基づいて、最新の位置情報を送信した携帯端末の一定時間後の位置を予測し、予測した携帯端末の位置が通信圏外であるか否かを地図情報に基づいて判定し、通信圏外と判定した場合、通信ネットワークを介して携帯端末に圏外予告通知を送信する。これによれば、携帯端末の利用者が、これから通信圏外に出てしまうか否かを予め認知することが可能とされている。
【先行技術文献】
【特許文献】
【０００５】
【特許文献１】特開２００４−３６４２２３号公報
【発明の概要】
【発明が解決しようとする課題】
【０００６】
特許文献１の移動通信システムは、通信圏外予告サーバ内に予め記録されている既知の圏外エリア情報に基づき、携帯端末の利用者がこの圏外エリアに到達する可能性がある場合に通信ネットワークを介して圏外予告通知を携帯端末に報知するものであり、その効果を得るためにはサーバ及び通信ネットワークを必要とする。
【０００７】
このため、システム全体の規模が大きくなり、その分高価なものとなる。また、サーバ及び通信ネットワークのいずれかに不具合が生じる等、サーバとの間で通信困難となった場合には、その間、報知対象となる全ての携帯端末に対する圏外予告通知の報知は中断してしまう。さらに、サーバ内に予め用意した圏外エリア情報に基づいて報知するため、実際のフィールド状況（電波状況）に基づいた報知を行うことができない。
【０００８】
本発明の目的は、上記の課題を解決し、携帯端末単独の構成のみで実際のフィールド状況に応じて携帯端末の利用者がいつ圏外となるかを認知することができ、利用者の利便性向上を図ることが可能な携帯端末及びその圏外報知方法を提供することにある。
【課題を解決するための手段】
【０００９】
上記目的を達成するため、本発明に係る携帯端末は、制御部と、当該制御部に接続されるメモリ部、無線通信機能部、ＧＰＳ受信機能部、及び表示部とを有する携帯端末であって、前記制御部は、前記無線通信機能部の受信情報から前記携帯端末が圏外の地点に位置すると判断される場合、前記ＧＰＳ受信機能部の受信情報から検出される前記携帯端末の現在の位置を圏外位置情報として前記メモリ部に記録させると共に、前記無線通信機能部の受信情報から前記携帯端末が圏内の地点に位置すると判断される場合、前記ＧＰＳ受信機能部の受信情報から検出される前記携帯端末の現在の位置が、前記メモリ部に記録されている圏外位置情報の近傍に位置するか否かを判断し、近傍に位置する場合には、その旨を圏外履歴アラームとして報知することを特徴とする。
【００１０】
また、本発明に係る携帯端末の圏外報知方法は、制御部と、当該制御部に接続されるメモリ部、無線通信機能部、ＧＰＳ受信機能部、及び表示部とを有する携帯端末の圏外報知方法であって、前記制御部が、前記無線通信機能部の受信情報に基づき前記携帯端末の圏内、圏外を検出し、前記圏内、圏外の検出結果に基づき、その旨を報知し、前記ＧＰＳ受信機能部の受信情報から前記携帯端末の現在位置を検出し、前記圏外のときに検出された現在の位置を圏外位置情報として前記メモリ部に記録させ、前記圏内のときに検出された現在の位置が、前記メモリ部に記録されている圏外位置情報の近傍に位置するか否かを判断し、近傍に位置する場合には、その旨を報知することを特徴とする。
【発明の効果】
【００１１】
本発明によれば、携帯端末単独の構成のみで実際のフィールド状況に応じて携帯端末の利用者がいつ圏外となるかを認知することができ、利用者の利便性向上を図ることが可能な携帯端末及びその圏外報知方法を提供することができる。
【図面の簡単な説明】
【００１２】
【図１】本発明の実施の形態に係る携帯端末の全体構成を示すブロック図である。
【図２】図１に示す携帯端末の詳細構成を示すブロック図である。
【図３】図１に示す携帯端末の動作を示すフローチャートである。
【発明を実施するための形態】
【００１３】
次に、本発明に係る携帯端末及びその圏外報知方法の実施の形態について、図面を参照して詳細に説明する。
【００１４】
図１は、本実施の形態に係る携帯端末の全体構成を示す。本実施の形態に係る携帯端末は、通話やデータ通信のサービスエリアの圏内、圏外の判定機能と、ＧＰＳ機能とを持つ携帯電話端末を適用したものである。
【００１５】
図１に示す携帯電話端末は、制御部１０１、メモリ部１０２、無線通信機能部１０３、ＧＰＳ受信機能部１０４、表示部１０５、操作部１０６、音声入力部１０７、音声出力部１０８、電池１０９、及び電源部１１０とを含む。その他、制御部１０１からの制御信号により振動可能なバイブレータ部（非図示）等も含まれる。
【００１６】
制御部１０１は、プログラム制御により動作する。メモリ部１０２には、制御部１０１のプログラムやデータ等が格納される。無線通信機能部１０３は、基地局（非図示）との間で無線通信を行う。ＧＰＳ受信機能部１０４は、ＧＰＳ衛星からの信号を受信することにより携帯電話端末の現時点の位置情報を取得する。表示部１０５は、表示画面上に画像や文字を表示するためのＬＣＤ（液晶ディスプレイ）等で構成される。操作部１０６は、携帯電話端末の利用者（以下、携帯者）が各種操作を行うためのテンキーや各種機能キーで構成される。音声入力部１０７は、音声通話のためのマイクロフォンで構成される。音声出力部１０８は、レシーバやスピーカで構成される。電池１０９は、携帯電話端末の各機能部を動作させるためのものである。電源部１１０は、電池１０９の供給電源を安定化しその供給電源を各機能部へ分配する。
【００１７】
図２は、図１に示す携帯電話端末の詳細構成を示す。
【００１８】
図２に示すように、制御部１０１は、圏外・圏内検出機能手段２０１、圏外・圏内報知機能手段２０２、位置情報検出機能手段２０３、位置情報記録検出手段２０４、圏外履歴アラーム機能手段２０５、圏外履歴アラーム設定機能手段２０６を有する。
【００１９】
このうち、圏外・圏内検出機能手段２０１は、無線通信機能部１０３の受信情報から携帯電話端末に備わる通話やデータ通信のサービスエリアの圏内、圏外の判定機能により圏内、圏外を検出する。圏外・圏内報知機能手段２０２は、圏外・圏内検出機能手段２０１による圏内、圏外の検出結果を報知する。この報知に際し、例えば、表示部１０５に対してその旨を知らせる表示や、音声出力部１０８に対して報知鳴動を行わせる。この場合、バイブレータ部（非図示）により振動させることも可能である。
【００２０】
また、位置情報検出機能手段２０３は、ＧＰＳ受信機能部１０４の受信情報から現在の位置情報を検出する。位置情報記録機能手段２０４は、位置情報検出機能手段２０３が検出した位置情報をメモリ部１０２に記録させる。
【００２１】
さらに、圏外履歴アラーム機能手段２０５は、位置情報検出機能手段２０３によって検出された位置情報が、メモリ部１０２に記録されている位置情報の位置に近い位置にあるか否かを判断し、近い場合には、その結果を圏外履歴アラームとして報知する。この報知に際し、例えば、表示部１０５に対してその旨を知らせる表示や、音声出力部１０８に対して報知鳴動を行わせる。この場合、バイブレータ部（非図示）により振動させることも可能である。圏外履歴アラーム設定機能手段２０６は、操作部１０６を介して、圏外履歴アラーム機能手段２０５の状態（後述参照）を設定する。
【００２２】
次に、図１、図２に加え、図３に示すフローチャートを参照して、本実施の形態の動作について詳細に説明する。
【００２３】
初めに、圏外時の動作を説明する。
【００２４】
制御部１０１は、無線通信機能部１０３の受信情報に基づき、圏外・圏内検出機能手段２０１により、圏外か圏内かの判断を行う（ステップ３０２）。その結果、圏外の場合（ステップ３０２のＹＥＳ）、制御部１０１は、圏外・圏内報知機能手段２０２により、携帯者に対して表示部１０５の表示によって圏外であることを報知する。同時に、制御部１０１は、位置情報検出機能手段２０３により、ＧＰＳ受信部１０４を動作させ、ＧＰＳ情報を受信し、現在の位置を検出する（ステップ３０３）。さらに、制御部１０１は、位置情報記録機能手段２０４により、圏外となる地点で検出された現在の位置を、圏外位置情報としてメモリ部１０２に記録する（ステップ３０４）。
【００２５】
次に、圏内時の動作を説明する。
【００２６】
制御部１０１は、無線通信機能部１０３の受信情報に基づき、圏外・圏内検出機能手段２０１により、圏外か圏内かの判断を行う（ステップ３０２）。その結果、圏内の場合（ステップ３０２のＮＯ）、制御部１０１は、位置情報検出機能手段２０３により、ＧＰＳ受信部１０４を動作させＧＰＳ情報を受信し、現在の位置を検出する（ステップ３０５）。次に、制御部１０１は、圏外履歴アラーム機能手段２０５により、メモリ部１０２に記録されている圏外位置情報と、圏内となる地点で検出した現在の位置とを比較し（ステップ３０６）、両位置の間の距離が予め設定された所定距離以内であるために、両位置が近傍であると判断した場合（ステップ３０６のＹＥＳ）は、携帯者に対して、表示部１０５による表示や音声出力部１０８による報知鳴動を行わせることによって、圏外が発生する可能性があることを、圏外履歴アラームとして報知する。
【００２７】
なお、圏外履歴アラームの状態、例えば、記録されている圏外位置情報と現在位置とを比較する場合の判断距離（何ｍ以内の時に圏外履歴アラームと判断するか、すなわち記録されている圏外位置情報に対して、どの程度接近すると報知するかの距離）や、報知方法（表示部１０５の表示や音声出力部１０８の報知鳴動等）については、圏外履歴アラーム設定機能手段２０６により、操作部１０５を通じて、予め携帯者による設定が可能となっている。
【００２８】
本実施の形態では、圏外履歴アラーム設定機能手段２０６による圏外履歴アラームの状態の設定は、携帯者が任意に設定可能となっている。また、本実施の形態では、上記設定時に、当該設定が行なわれていることを表示部１０５に表示させたり、当該設定内容（上記の判断距離等）を表示部１０５に表示させたりすることも可能となっている。
【００２９】
以上説明したように、制御部１０１は無線通信機能部１０３の受信情報により圏内、圏外の判断を行い、圏外の場合、ＧＰＳ受信機能部１０４により位置情報の測位を行い、その位置情報を圏外位置情報としてメモリ部１０２に記憶する。そして、次回に携帯者がこの圏外位置情報の場所に接近した場合は、制御部１０１は圏外になる可能性があると判断する。これにより、本実施の形態では、以前に圏外となった場所に近づいた場合に、圏外履歴アラームを通知することができる。
【００３０】
すなわち、本実施の形態では、通話やデータ通信のサービスエリアの圏内、圏外の判定機能と、ＧＰＳ機能とを持つ携帯電話端末において、圏外となった場所の位置データをＧＰＳ機能により取得して記録し、次回に前記記録された場所に近づいた場合に、圏外履歴アラームを携帯者に通知することにより、携帯者の利便性を大幅に向上させることができる。
【００３１】
したがって、本実施の形態では、次のような効果を得ることができる。
【００３２】
第１の効果は、圏外となる可能性がある場所に移動した場合に携帯者に対して報知されるため、その場所を避けた通信が可能となり利便性が向上することである。その理由は、以前に圏外となった場所を圏外位置情報として記録しているためである。
【００３３】
第２の効果は、圏外となる可能性がある場所に移動した場合に携帯者に対して報知されるため、圏外となる可能性のある場所を避けられない場合は、予め携帯者が通話や通信を停止することができ、利便性が向上することである。その理由は、以前に圏外となった場所を圏外位置情報として記録しているためである。
【００３４】
よって、本実施の形態によれば、携帯端末単独の構成のみで実際のフィールド状況に応じて携帯端末の利用者がいつ圏外となるかを認知することができ、利用者の利便性向上を図ることが可能な携帯端末及びその圏外報知方法を提供することができる。
【００３５】
なお、本実施の形態では、圏外履歴アラーム機能手段により、携帯者に圏外履歴アラームとして報知する構成としたが、この報知時に、圏外位置情報と現在位置との距離を表示部に表示する等、報知することにより、より詳細な情報提供が可能である。
【００３６】
また、本実施の形態では、圏外履歴アラームにより、圏外発生の可能性を報知することを主目的としたが、同様の構成により、圏内となる地点の圏内位置情報もメモリ部に記録し、検出された圏外となる地点の現在の位置とメモリ部に記録された圏内位置情報とを比較することにより、現時点で圏外の場合に、どこに移動すれば圏内となるかの情報を得ることも可能である。
【００３７】
なお、上記の携帯端末及びその圏外報知方法は、ハードウェア、ソフトウェア又はこれらの組合せにより実現することができる。
【００３８】
例えば、上記の携帯端末は、ハードウェアによって実現することもできるが、コンピュータをその各機能部及び機能手段として機能させるためのプログラムを、コンピュータが記録媒体から読み出して、実行することによっても実現することができる。
【００３９】
また、上記の携帯端末の圏外報知方法は、ハードウェアによって実現することもできるが、コンピュータにその方法を実行させるためのプログラムを、コンピュータがコンピュータ読み取り可能な記録媒体から読み出して、実行することによっても実現することができる。
【００４０】
また、上述したハードウェア、ソフトウェア構成は特に限定されるものではなく、上述した各機能部及び機能手段を実現可能であれば、いずれのものでも適用可能である。例えば、上述した各機能部及び機能手段毎に個別に構成したものでも、各機能部及び機能手段を一体的に構成したものでも、いずれでもよい。
【００４１】
以上、実施の形態を参照して本願発明を説明したが、本願発明は上記実施の形態に限定されるものではない。本願発明の構成や詳細には、本願発明のスコープ内で当業者が理解し得る様々な変更をすることができる。
【産業上の利用可能性】
【００４２】
本発明は、通話やデータ通信のサービスエリアの圏内、圏外の判定機能を有するＧＰＳ機能を持つ携帯端末及びその圏外報知方法の用途に利用可能である。
【符号の説明】
【００４３】
１０１  制御部
１０２  メモリ部
１０３  無線通信機能部
１０４  ＧＰＳ受信機能部
１０５  表示部
１０６  操作部
１０７  音声入力部
１０８  音声出力部
１０９  電池
１１０  電源部
２０１  圏外・圏内検出機能手段
２０２  圏外・圏内報知機能手段
２０３  位置情報検出機能手段
２０４  位置情報記録機能手段
２０５  圏外履歴アラーム機能手段
２０６  圏外履歴アラーム設定機能手段
【図１】
2011077624.tif 000003
【図２】
2011077624.tif 000004
【図３】
2011077624.tif 000005